(57)【要約】【課題】組み立ての際の変形を抑制し、製造が容易となり、製造コストを減らすことができるコンタクト、ソケットコネクタ及びコネクタを提供する。【解決手段】胴体部１６と、胴体部１６の一方側に相手方の被接触部と接触される接触部３６を有するコンタクト１４において、胴体部１６は、底面部１８と、底面部１８の長手方向の少なくとも一方の側辺から立設された側面部２２、２４を有し、底面部１８には、接触片３０が形成されており、接触片３０は、底面部１８から側面部２２、２４が立設された方向に向かって屈曲されて延設された立設部３２と、立設部３２の底面部１８とは反対側の端部から屈曲されて胴体部１６とは反対方向に向かって延設された接触部３６とを有し、胴体部１６及び立設部３２の少なくとも一方には、立設部３２が胴体部１６側へ移動されることが規制される規制部３４が形成されている。【選択図】図５
2018010715.tif 000002
【特許請求の範囲】
【請求項１】
胴体部と、前記胴体部の一方側に相手方の被接触部と接触される接触部を有するコンタクトにおいて、
前記胴体部は、底面部と、前記底面部の長手方向の少なくとも一方の側辺から立設された側面部を有し、
前記底面部には、前記側面部が立設された端辺に対して直交する側の端辺から接触片が延設されており、
前記接触片は、前記底面部から前記側面部が立設された側に向かって屈曲された立設部と、前記立設部の前記底面部とは反対側の端部から屈曲されて前記胴体部とは反対方向に向かって延設された前記接触部とを有し、
前記胴体部及び前記立設部の少なくとも一方には、前記立設部が前記胴体部側へ移動されることが規制される規制部が形成されていることを特徴とするコンタクト。
【請求項２】
前記規制部は、前記立設部の前記側面部が形成された方向に突出されて形成されており、
前記接触片が前記胴体部側に移動された場合、前記側面部と当接されるような構成となるように形成されていることを特徴とする請求項１に記載のコンタクト。
【請求項３】
前記規制部は、前記胴体部の少なくとも一方の前記側面部から、前記底面部と対向するように延設されて形成されており、
前記接触片が前記胴体部側に移動された場合、前記立設部が前記規制部に当接されるような構成となるように形成されていることを特徴とする請求項１に記載のコンタクト。
【請求項４】
前記胴体部の少なくとも一方の前記側面部の前記接触片側の端部には、前記接触片側に突出された補助突起が形成されており、
前記接触片は、前記補助突起の内側に配置されることを特徴とする請求項１から３のいずれかに記載のコンタクト。
【請求項５】
前記接触片の前記立設部とは反対側であって、前記接触部より先の端部には、ハウジングに装着され、収容される場合に、引っ掛けられる引っ掛け部が形成されていることを特徴とする請求項１から４のいずれかに記載のコンタクト。
【請求項６】
請求項１から４のいずれかに記載の複数の前記コンタクトと、前記コンタクトが収容される複数のコンタクト収容部が形成されたハウジングと、を有することを特徴とするソケットコネクタ。
【請求項７】
前記ハウジングの前記コンタクト収容部は、上段側と下段側の２段に形成されており、前記上段側のコンタクト収容部と前記下段側のコンタクト収容部はそれぞれ互い違いとなるように配置されて形成されていることを特徴とする請求項６に記載のソケットコネクタ。
【請求項８】
前記コンタクトは、前記上段側のコンタクト収容部に収容される場合と、前記下段側のコンタクト収容部に収容される場合とで、互いに上下が反転された状態で収容されることを特徴とする請求項７に記載のソケットコネクタ。
【請求項９】
前記上段側のコンタクト収容部に収容される上段側コンタクトと、前記下段側のコンタクト収容部に収容される下段側コンタクトは、前記接触片の前記立設部とは反対側であって、前記接触部より先の端部には、前記ハウジングに装着され、収容される場合に、引っ掛けられる引っ掛け部がそれぞれ形成されており、
前記上段側コンタクトの前記引っ掛け部と、前記下段側コンタクトの前記引っ掛け部はそれぞれ上下が対称とされた形状となっており、
前記ハウジングに引っ掛けられる場合に、前記上段側コンタクトの前記引っ掛け部と、前記下段側コンタクトの前記引っ掛け部とは、一列に並ぶようにされたことを特徴とする請求項８に記載のソケットコネクタ。
【請求項１０】
請求項６から９のいずれかに記載の前記ソケットコネクタと、
前記ソケットコネクタに設けられた前記コンタクトと接触される複数のベースコンタクトと、前記ベースコンタクトが収容されるベースハウジングとを備えたベースコネクタと、を有し
前記ソケットコネクタと前記ベースコネクタが着脱自在に接続されることを特徴とするコネクタ。
【請求項１１】
前記ソケットコネクタの前記ハウジングには、前記ベースハウジングと係止及び係止の解除が行われるロック機構が形成されていることを特徴とする請求項１０に記載のコネクタ。
【発明の詳細な説明】
【技術分野】
【０００１】
本発明は、ハウジングへの組みつけの際の変形を抑制し、製造が容易となり、製造コストを減らすことができるコンタクト、ソケットコネクタ及びコネクタに関する。
【背景技術】
【０００２】
コネクタの組み立て工程において、コンタクトがハウジングへ挿入されることで、組みつけが行われている。例えば、下記特許文献１には、コネクタハウジングへの端子係止構造の発明が開示されている。下記特許文献１のコネクタハウジングへの端子係止構造の発明によれば、基板の一方に電気接触部を有し、該基板の両端に設けた起立側壁の自由縁部を該基板の上方に折曲して天井壁を形成して成る端子と、ハウジング本体に端子収容室を形成し、該端子収容室内に該端子を係止する可撓性の係止アームを突設して成るコネクタハウジングとの係止構造であって、前記天井壁の電気接触部側にガイド溝を形成すると共に、前記係止アームに相対向する前記端子収容室の内壁面にガイドレールを突設し、該ガイド溝とガイドレールとの係合により該端子収容室内に収容係止された前記端子のガタ付きが防止される、としている。
【先行技術文献】
【特許文献】
【０００３】
【特許文献１】特開平１０−２４１７７２号公報
【発明の概要】
【発明が解決しようとする課題】
【０００４】
上記特許文献１に開示されたコネクタに備えられた端子では、ハウジング本体への組みつけの際に、電気接触部がハウジングと衝突した場合、容易に変形し、破損してしまうおそれがある。
【０００５】
本発明の目的は、組み立ての際の変形を抑制し、製造が容易となり、製造コストを減らすことができるコンタクト、ソケットコネクタ及びコネクタを提供することにある。
【課題を解決するための手段】
【０００６】
上記課題を解決するために、本発明の第１の態様のコンタクトは、胴体部と、前記胴体部の一方側に相手方の被接触部と接触される接触部を有するコンタクトにおいて、
前記胴体部は、底面部と、前記底面部の長手方向の少なくとも一方の側辺から立設された側面部を有し、
前記底面部には、前記側面部が立設された端辺に対して直交する側の端辺から接触片が延設されており、
前記接触片は、前記底面部から前記側面部が立設された側に向かって屈曲された立設部と、前記立設部の前記底面部とは反対側の端部から屈曲されて前記胴体部とは反対方向に向かって延設された前記接触部とを有し、
前記胴体部及び前記立設部の少なくとも一方には、前記立設部が前記胴体部側へ移動されることが規制される規制部が形成されていることを特徴とする。
【０００７】
また、第２の態様のコンタクトは、第１の態様のコンタクトにおいて、前記規制部は、前記立設部の前記側面部が形成された方向に突出されて形成されており、
前記接触片が前記胴体部側に移動された場合、前記側面部と当接されるような構成となるように形成されていることを特徴とする。
【０００８】
また、第３の態様のコンタクトは、第１の態様のコンタクトにおいて、前記規制部は、前記胴体部の少なくとも一方の前記側面部から、前記底面部と対向するように延設されて形成されており、
前記接触片が前記胴体部側に移動された場合、前記立設部が前記規制部に当接されるような構成となるように形成されていることを特徴とする。
【０００９】
また、第４の態様のコンタクトは、第１から第３のいずれかの態様のコンタクトにおいて、前記胴体部の少なくとも一方の前記側面部の前記接触片側の端部には、前記接触片側に突出された補助突起が形成されており、
前記接触片は、前記補助突起の内側に配置されることを特徴とする。
【００１０】
また、第５の態様のコンタクトは、第１から第４のいずれかの態様のコンタクトにおいて、前記接触片の前記立設部とは反対側であって、前記接触部より先の端部には、ハウジングに装着され、収容される場合に、引っ掛けられる引っ掛け部が形成されていることを特徴とする。
【００１１】
第６の態様のソケットコネクタは、第１から第４のいずれかの態様の複数の前記コンタクトと、前記コンタクトが収容される複数のコンタクト収容部が形成されたハウジングと、を有することを特徴とする。
【００１２】
また、第７の態様のソケットコネクタは、第６の態様のソケットコネクタにおいて、前記ハウジングの前記コンタクト収容部は、上段側と下段側の２段に形成されており、前記上段側のコンタクト収容部と前記下段側のコンタクト収容部はそれぞれ互い違いとなるように配置されて形成されていることを特徴とする。
【００１３】
また、第８の態様のソケットコネクタは、第７の態様のソケットコネクタにおいて、前記コンタクトは、前記上段側のコンタクト収容部に収容される場合と、前記下段側のコンタクト収容部に収容される場合とで、互いに上下が反転された状態で収容されることを特徴とする。
【００１４】
また、第９の態様のソケットコネクタは、第８の態様のソケットコネクタにおいて、前記上段側のコンタクト収容部に収容される上段側コンタクトと、前記下段側のコンタクト収容部に収容される下段側コンタクトは、前記接触片の前記立設部とは反対側であって、前記接触部より先の端部には、前記ハウジングに装着され、収容される場合に、引っ掛けられる引っ掛け部がそれぞれ形成されており、
前記上段側コンタクトの前記引っ掛け部と、前記下段側コンタクトの前記引っ掛け部はそれぞれ上下が対称とされた形状となっており、
前記ハウジングに引っ掛けられる場合に、前記上段側コンタクトの前記引っ掛け部と、前記下段側コンタクトの前記引っ掛け部とは、一列に並ぶようにされたことを特徴とする。
【００１５】
第１０の態様のコネクタは、第６から第９のいずれかの態様の前記ソケットコネクタと、
前記ソケットコネクタに設けられた前記コンタクトと接触される複数のベースコンタクトと、前記ベースコンタクトが収容されるベースハウジングとを備えたベースコネクタと、を有し
前記ソケットコネクタと前記ベースコネクタが着脱自在に接続されることを特徴とする。
【００１６】
また、第１１の態様のコネクタによれば、第１０の態様のコネクタにおいて、前記ソケットコネクタの前記ハウジングには、前記ベースハウジングと係止及び係止の解除が行われるロック機構が形成されていることを特徴とする。
【発明の効果】
【００１７】
第１の態様のコンタクトによれば、コンタクトの接触片が他の部品に衝突された場合に接触片が胴体部側への移動が規制されるため、接触片の変形や破損を抑制することができる。
【００１８】
また、第２の態様のコネクタによれば、接触片の一部に規制部を簡単に形成することができる。
【００１９】
また、第３の態様のコンタクトによれば、胴体部の一部に規制部を簡単に形成することができる。
【００２０】
また、第４の態様のコンタクトによれば、側面部に形成された補助突起により、接触片が挿入方向以外の方向から外力を受けた場合でも、接触片が変形することを抑制することができる。
【００２１】
第５の態様のコンタクトによれば、ハウジングに装着される際に、容易に位置決め固定を行うことができる。
【００２２】
第６の態様のソケットコネクタによれば、ハウジングに第１〜第４の態様のコンタクトが取り付けられるので、取り付けの際にコンタクトの変形や破損が抑制されるため、製造を効率よく行え、製造コストを削減することができる。
【００２３】
また、第７の態様のソケットコネクタによれば、上段側のコンタクト収容部と下段側のコンタクト収容部をそれぞれ互い違いに形成することで、コンタクトより太いワイヤーを横に一列に並べた場合に比べて、少ないスペースに詰めた状態で効率よく配置することができ、小型化を図ることができる。
【００２４】
また、第８の態様のソケットコネクタによれば、上段側コンタクトと下段側コンタクトはそれぞれ上下が反転された状態で各コンタクト収容部に収容されることで、上段側コンタクトと下段側コンタクトのそれぞれの接触部を一列に並べることができると共に、形状を共通化でき、製造コストを削減することができる。
【００２５】
また、第９の態様のソケットコネクタによれば、上段側コンタクトと下段側コンタクトの接触部を一列に並べた状態で、ハウジングに接触片を位置決め固定させることができるようになる。
【００２６】
第１０の態様のコネクタによれば、第６〜第９のいずれかの態様にソケットコネクタの効果を奏するコネクタを提供することができる。
【００２７】
また、第１１の態様のコネクタによれば、ソケットコネクタとベースコネクタの着脱を容易に行うことができる。また、ロック機構がハウジングに直接形成されていることで、他の部品を用いる必要がなく、製造コストを抑えることができる。
【図面の簡単な説明】
【００２８】
【図１】図１Ａは実施形態に係るコネクタを構成するソケットコネクタとしての第１コネクタ部材とベースコネクタとしての第２コネクタ部材の接続前の状態を示す斜視図であり、図１Ｂは接続させた状態を示す斜視図である。
【図２】図１ＢのII−II線での断面図である。
【図３】図３Ａは実施形態に係る第１コネクタ部材の斜視図であり、図３Ｂは図３ＡのIIIB−IIIB線での断面図であり、図３Ｃは図３ＡのIIIC−IIIC線での断面図である
【図４】上段側に装着される側の一方の第１コンタクトを示す斜視図である。
【図５】図５Ａは実施形態に係る一方の第１コンタクトの側面図であり、図５Ｂ平面図であり、図５Ｃは底面図であり、図５Ｄは正面図である。
【図６】下段側に装着される側の他方の第１コンタクトを示す斜視図である。
【図７】図７Ａは実施形態に係る他方の第１コンタクトの側面図であり、図７Ｂ平面図であり、図７Ｃは底面図であり、図７Ｄは正面図である。
【図８】図８Ａは実施形態に係る第１シェルを取り付けた状態の第１ハウジングを示す上方からみた斜視図であり、図８Ｂは下方から見た斜視図であり、図８Ｃは後面側からみた斜視図プラグである。
【図９】図９Ａは第１シェル取り付けた状態の第１ハウジングの平面図であり、図９Ｂは正面図であり、図９Ｃは底面図であり、図９Ｄは後面図である。
【図１０】図１０Ａ〜図１０Ｃは一方の第１コンタクトを第１ハウジングに装着する工程の場合の断面図である。
【図１１】図１１Ａ〜図１１Ｃは他方の第１コンタクトを第１ハウジングに装着する工程の場合の断面図である。
【図１２】図１２Ａはトップタイプのコネクタを構成する第１コネクタ部材と第２コネクタ部材の接続前の状態を示す斜視図であり、図１２Ｂは接続させた状態を示す斜視図であり、図１２Ｃは図１２ＢのXIIC−XIIC線での断面図である。
【図１３】第１コンタクトの変形例を示す斜視図である。
【発明を実施するための形態】
【００２９】
以下、図面を参照して本発明の実施形態を説明する。但し、以下に示す実施形態は、本発明の技術思想を具体化するためのコンタクト、ソケットコネクタ及びコネクタを例示するものであって、本発明をこれに特定することを意図するものではなく、特許請求の範囲に含まれるその他の実施形態のものにも等しく適応し得るものである。
【００３０】
［実施形態］
図１〜図１１を参照して、実施形態に係るコネクタについて説明する。本発明の実施形態に係るコネクタ１０は、図１及び図２に示すように、ワイヤー４２が接続された第１コンタクト１４と、第１コンタクト１４が収容された第１ハウジング４４を有するソケットコネクタとしての第１コネクタ部材１２と、基板１４４に実装されるベースコンタクトとしての第２コンタクト１０２と、第２コンタクト１０２が収容されたベースハウジングとしての第２ハウジング１０８を有するベースコネクタとしての第２コネクタ部材１００とで構成され、第１コネクタ部材１２と第２コネクタ部材１００が着脱自在に接続されるようになっている。なお、実施形態のコネクタ１０は、第２コネクタ部材１００に第１コネクタ部材１２が基板１４４に対して平行となるように接続されるいわゆるサイドタイプのコネクタとなっている。
【００３１】
まず、図３〜図１１を参照して、実施形態の第１コネクタ部材１２について説明する。第１コネクタ部材１２は、第２コネクタ部材１００に挿入されるようにして嵌合されるソケットコネクタとなっている。また、第１コネクタ部材１２は、一方に第２コネクタ部材１００に設けられた第２コンタクト１０２と接触される第１接触部３６を有し、他方にワイヤー４２が接続されるワイヤー接続部２６を有する複数の第１コンタクト１４と、この第１コンタクト１４が収容される第１コンタクト収容部４６が内部に形成された第１ハウジング４４と、この第１ハウジング４４を覆うように設けられた第１シェル９８とで構成されている。
【００３２】
また、実施形態の第１コネクタ部材１２では、第１ハウジング４４の第１コンタクト収容部４６は上下２段となっており、長手方向に亘って形成され、第１コンタクト１４は、第１ハウジング４４の第１上面７８側の上段側に収容される上段側コンタクトとしての第１コンタクト１４ａと第１底面８４側の下段側に収容される下段側コンタクトとしての第１コンタクト１４ｂと、が設けられている。以下、各構成について説明する。
【００３３】
まず、図４、図５、図１０を参照して、第１コンタクト１４ａについて説明する。第１コンタクト１４ａは、図４、図５に示すように、胴体部１６を有し、この胴体部１６の一方には、相手側の第２コネクタ部材１００の第２コンタクト１０２と接触される第１接触部３６と、他方にワイヤー４２が接続されて装着されるワイヤー接続部２６とを有している。
【００３４】
第１コンタクト１４ａの胴体部１６は、底面部１８と、底面部１８の長手方向の両端辺から上方に立設された一方の側面部２２及び他方の側面部２４とを有している。
【００３５】
底面部１８には、両側面部２２、２４とは反対側に突出された固定部２０が形成されており、後述する第１コンタクト収容部４６に収容され、固定される際に用いられる部分となる。
【００３６】
また、底面部１８の先端側の一方の側面部２２及び他方の側面部２４と略直交する端辺、すなわち、第１ハウジング４４に挿入される側であって、第２コンタクト１０２と接触される側からは、長尺の接触片３０ａが延設されている。この接触片３０ａは、底面部１８の端部から各側面部２２、２４が立設された方向、すなわち上方側に向かって屈曲された立設部３２ａと、この立設部３２ａの上端部から、胴体部１６とは反対方向に向かって屈曲されて延設された第１接触部３６と、を有し、いわゆるクランク状となるように折り曲げられて形成されている。
【００３７】
また、第１接触部３６の先端側には、後述する第１コンタクト１４ａが収容される上段側第１コンタクト収容部４６ａに引っ掛けられる引っ掛け部３８ａが形成されている。なお、第１コンタクト１４ａに形成された引っ掛け部３８ａは、一度下方側、すなわち、底面部１８側に折り曲げられた後、さらに第１接触部３６の延設方向に沿うように折り曲げられた鉤状に形成されている。
【００３８】
また、立設部３２ａには、横方向、すなわち、各側面部２２、２４側に突出された規制部３４がそれぞれ形成されている。この規制部３４は、各側面部２２、２４と当接される程度の大きさや形状で形成されている。
【００３９】
また、各側面部２２、２４の接触片３０ａ側の端部には、それぞれ立設部３２ａに形成された規制部３４の底面部１８側の下方部分に補助突起４０がそれぞれ形成されている。
【００４０】
また、胴体部１６の接触片３０ａとは反対側には、ワイヤー４２が接続される複数の接続片２８が形成されており、この接続片２８を折り曲げることで、ワイヤー４２と接続されるようになる。なお、接続片２８は、ワイヤー４２の導線部分と接続されるものと、ワイヤー４２の導線部分を覆っている樹脂部分が把持されるものとが形成されている。
【００４１】
このような構成とすることで、実施形態の第１コンタクト１４ａは、第１ハウジング４４に組み付ける際に、接触片３０ａが衝突したとしても、立設部３２ａに形成された規制部３４が各側面部２２、２４の端部に当接されることで、接触片３０ａが胴体部１６側に折れ曲がり、変形してしまうことを抑制できる。また、補助突起４０があることで、軸線方向の衝突以外の方向からの衝突に対しても、接触片３０ａの変形を抑制することができる。
【００４２】
また、実施形態の第１コンタクト１４ａは、接触片３０ａが胴体部１６の底面部１８から延設されて形成されていることで、接触片３０ａを胴体部１６の上面側から形成する場合に比べ、構造が簡単になり、容易に製造することができる。
【００４３】
次に、図６、図７、図１１を参照して、第１コンタクト１４ｂについて説明する。なお、第１コンタクト１４ｂは、第１コンタクト１４ａと一部の形状が異なるのみで、他の構成は共通するので、共通する部分には、同一の符号を付し、詳細な説明は省略する。
【００４４】
第１コンタクト１４ｂは、第１コンタクト１４ａと比べ、接触片３０ｂの立設部３２ｂの長さと、引っ掛け部３８ｂの向きが異なっている。第１コンタクト１４ｂの立設部３２ｂの長さは、第１コンタクト１４ａの立設部３２ａの長さに比べて短く形成されている。この長さの違いは、第１ハウジング４４の各第１コンタクト収容部４６の形状に対応させたものである。
【００４５】
また、第１コンタクト１４ｂの接触片３０ｂの先端側の引っ掛け部３８ｂは、底面部１８に対して一度上方側、すなわち、底面部１８とは反対側に折り曲げられた後、さらに第１接触部３６の延設方向に沿うように折り曲げられた鉤状に形成されている。すなわち、第１コンタクト１４ａの引っ掛け部３８ａと第１コンタクト１４ｂの立設部３２ｂの引っ掛け部３８ｂは、それぞれ反対向きとなるように形成されている。
【００４６】
なお、第１コンタクト１４ａと第１コンタクト１４ｂをまとめて第１コンタクト１４といい、また、接触片３０ａと接触片３０ｂをまとめて接触片３０といい、立設部３２ａと立設部３２ｂをまとめて立設部３２といい、引っ掛け部３８ａと引っ掛け部３８ｂをまとめて引っ掛け部３８という場合がある。
【００４７】
また、第１コンタクト１４では、規制部３４は一方の側面部２２、及び他方の側面部２４と当接されるように形成されているが、これに限らず、いずれか一方の側面部に当接するようにしてもよい。
【００４８】
次に、図８〜図１１を参照して、第１ハウジング４４について説明する。第１ハウジング４４は、第２コネクタ部材１００の第２ハウジング１０８に挿入される側の第１前面５０と、第１コンタクト１４が挿入される複数の第１挿入孔９６が形成された第１後面７６と、第１シェル９８により覆われる第１上面７８と、第１上面７８の反対側の第１底面８４と、一方の第１側面９０及び他方の第１側面９２とを有し、内部に、複数の各第１コンタクト１４が収容される第１コンタクト収容部４６が形成された、幅方向、すなわち、第２コネクタ部材１００への嵌合方向と直行する方向が長尺な略直方体であって、樹脂材料で形成されている。
【００４９】
第１ハウジング４４の第１前面５０には、第２コネクタ部材１００の第２ハウジング１０８に嵌合されるように挿入される突出部５２が幅方向に亘って形成されている。
【００５０】
この突出部５２の第１上面７８側には、第１シェル９８の一部に覆われる部分となっており、この部分は後述する第２コネクタ部材１００の第２シェル１３６のシェル接触片１３８と接触されるシェル接触面９９となる。また、突出部５２の第１底面８４側には、複数の開口溝５６が形成されている。この開口溝５６は、第１ハウジング４４の内部に形成された第１コンタクト収容部４６と連通されており、収容された第１コンタクト１４の第１接触部３６が露出され、第２コネクタ部材１００の第２コンタクト１０２と接触される部分となる。なお、この開口溝５６は、それぞれ嵌合方向の先端側５８が塞がれており、第１前面５０に至るまで形成されている。
【００５１】
また、突出部５２の先端側の、第１上面７８側及び第１底面８４側はテーパー５４がそれぞれ形成されている。なお、第１前面５０の突出部５２が形成された部分以外の部分は、平面状に形成されており、第２ハウジング１０８と当接される面となる。
【００５２】
また、第１前面５０の一方の第１側面９０側及び他方の第１側面９２側には、嵌合方向に突出された嵌入突起部６２がそれぞれ形成されている。この嵌入突起部６２は、第２ハウジング１０８に形成された嵌入溝部１１４と対応する形状に形成されており、対応する第１コネクタ部材１２と第２コネクタ部材１００が正しく接続されるようにすると共に、円滑に挿入を行うための部分となっている。
【００５３】
また、第１後面７６には、幅方向に亘って第１コンタクト１４が挿入される複数の第１挿入孔９６が形成されている。この第１挿入孔９６は、図８Ｃ、図９Ｄに示すように、上下２段に亘って形成され、上段側と下段側がそれぞれが互い違いとなるように形成されている。このとき、第１上面７８側に形成された上段側の第１挿入孔９６を上段側第１挿入孔９６ａとし、第１底面８４側に形成された下段側の第１挿入孔９６を下段側第１挿入孔９６ｂとする。
【００５４】
さらに、この上段側第１挿入孔９６ａには、第１コンタクト１４ａの接触片３０ａが挿入される接触片挿入部９７ａが下段側第１挿入孔９６ｂ側に向かって形成され、また、下段側第１挿入孔９６ｂには、第１コンタクト１４ｂの接触片３０ｂが挿入される接触片挿入部９７ｂが上段側第１挿入孔９６ａ側に向かってそれぞれ形成されている。この接触片挿入部９７ａと接触片挿入部９７ｂは一列に並ぶように形成されており、第１前面５０側の突出部５２に形成された開口溝５６と繋がり、第１コンタクト１４ａの第１接触部３６と第１コンタクト１４ｂの接触部３６がそれぞれ交互に配置されるようになる。なお、上段側第１挿入孔９６ａと下段側第１挿入孔９６ｂをまとめて第１挿入孔９６といい、接触片挿入部９７ａ及び接触片挿入部９７ｂをまとめて接触片挿入部９７という場合がある。
【００５５】
第１上面７８は、第１シェル９８により覆われる部分となっている。また、第１上面７８には、一部が開口された上面開口８０が形成されており、この上面開口８０には複数の上側爪片８２が形成されている。この上側爪片８２は、第１コンタクト収容部４６に収容された第１コンタクト１４の固定部２０が固定される部分である。
【００５６】
第１底面８４には、第１上面７８と同様に一部が開口された底面開口８６が形成されており、この底面開口８６には複数の下側爪片８８が形成されている。この下側爪片８８は、後述する第１コンタクト収容部４６に収容された第１コンタクト１４の固定部２０が固定される部分である。
【００５７】
一方の第１側面９０及び他方の第１側面９２には、それぞれロック機構６６が設けられている。ロック機構６６は、第１前面５０側に突出された嵌入突起部６２の先端部６４の一方の第１側面９０側及び他方の第１側面９２側に延設された弾性軸部６８と、この弾性軸部６８から第１後面７６側に延設されたロック片７０と、このロック片７０の後端部には、さらに一方の第１側面９０側及び他方の第１側面９２側に向かって形成された操作部７４と、をそれぞれ有し、操作部７４が押圧されることで、弾性軸部６８を軸にロック片７０が反復移動される構成となっている。
【００５８】
なお、ロック機構６６のロック片７０には、それぞれ係止突起７２が突出されて形成されており、第２ハウジング１０８の嵌入溝部１１４に挿入される際に弾性変形されると共に、第１コネクタ部材１２と第２コネクタ部材１００が勘合された場合に嵌入溝部１１４内に係止されるようになる。
【００５９】
また、第１ハウジング４４の内部には、各第１コンタクト１４が収容される第１コンタクト収容部４６が形成されている。この第１コンタクト収容部４６は、第１前面５０の突出部５２の第１底面８４側に形成された開口溝５６と、第１後面７６に形成された上段側第１挿入孔９６ａ及び下段側第１挿入孔９６ｂと、がそれぞれ連通されている。
【００６０】
なお、第１コンタクト収容部４６は、第１後面７６の上段側第１挿入孔９６ａと開口溝５６とがそれぞれ連通された上段側第１コンタクト収容部４６ａと、下段側第１挿入孔９６ｂと開口溝５６とがそれぞれ連通された下段側第１コンタクト収容部４６ｂとがそれぞれ互い違いとなるように形成されている。このとき、上段側第１挿入孔９６ａに形成された接触片挿入部９７ａと開口溝５６とは略直線的に繋がれており、また、下段側第１挿入孔９６ｂに形成された接触片挿入部９７ｂと開口溝５６とは略直線的に繋がれている。
【００６１】
すなわち、第１後面７６側の第１挿入孔９６は２段に形成されているが、第１コンタクトの第１接触部３６が露出される開口溝５６は、一列に並んで形成された構成となっている。なお、上段側第１コンタクト収容部４６ａ及び下段側第１コンタクト収容部４６ｂは、それぞれが仕切り壁４８により囲まれて仕切られている。
【００６２】
また、上段側第１挿入孔９６ａ及び上段側第１コンタクト収容部４６ａと下段側第１挿入孔９６ｂ及び下段側第１コンタクト収容部４６ｂとは、それぞれ上下が反対向きとなるように形成されている。すなわち、後述するように、下段側第１コンタクト収容部４６ｂに収容される第１コンタクト１４ｂに対して上段側第１コンタクト収容部４６ａに収容される第１コンタクト１４ａは上下が反転された状態で挿入され、収容されるようになる。このとき、上段側第１挿入孔９６ａの接触片挿入部９７ａと下段側第１挿入孔９６ｂの接触片挿入部９７ｂは横一列に並んだ状態で形成されている。
【００６３】
また、上段側第１コンタクト収容部４６ａ及び下段側第１コンタクト収容部４６ｂには、それぞれ第１上面７８の上面開口８０に形成された上側爪片８２と第１底面８４の底面開口８６に形成された下側爪片８８が配置されている。この上側爪片８２及び下側爪片８８は、第１前面５０側が上下方向に移動されるように弾性変形可能に形成されており、各第１コンタクト１４が挿入された際に、各第１コンタクト１４に形成された固定部２０に押圧されるようになる（図１０、図１１参照）。
【００６４】
さらに、第１ハウジング４４の内部において、第１前面５０に形成された突出部５２の開口溝５６の先端側５８には、各第１コンタクト１４が収容された際に、各第１コンタクト１４の先端側が引っ掛けられる引っ掛け溝６０がそれぞれ形成されているが、この引っ掛け溝６０は、上方側の第１上面７８側が窪み、第１底面８４側が開口溝５６側に突出されて形成されている。そのため、第１コンタクト１４ａと第１コンタクト１４ｂの各引っ掛け部３８ａ、３８ｂが引っ掛けられる引っ掛け溝６０は略同一の形状となっている。なお、上段側第１コンタクト収容部４６ａと下段側第１コンタクト収容部４６ｂをまとめて第１コンタクト収容部４６という場合がある。
【００６５】
また、第１シェル９８は、図３、図８に示すように、第１ハウジング４４の第１上面７８側と、第１前面５０側の突出部５２の第１上面７８側が覆われるように、金属製の板体を打ち抜き、折り曲げ等して形成されている。なお、第１上面７８の上面開口８０は開放されている。
【００６６】
また、第１ハウジング４４の突出部５２が覆われた部分の第１シェル９８のシェル接触面９９は、後述する第２コネクタ部材１００の第２シェル１３６の一部と接触される部分となり、電磁波等のノイズを遮蔽し、また、アース接続がされるようになる。
【００６７】
次に、主に図１０、図１１を参照して、第１コネクタ部材１２の組み立てについて説明する。
【００６８】
まず、第１ハウジング４４への各第１コンタクト１４の取り付けについて説明する。この取り付けは、ワイヤー接続部２６にワイヤー４２が取り付けられた第１コンタクト１４ａ及び第１コンタクト１４ｂを、第１シェル９８が取り付けられた第１ハウジング４４の上段側第１コンタクト収容部４６ａ及び、下段側第１コンタクト収容部４６ｂに挿入されることで行われる。
【００６９】
先に、主に図１０を参照して、上段側第１コンタクト収容部４６ａへの第１コンタクト１４ａの挿入及び装着について説明する。上段側第１コンタクト収容部４６ａへ第１コンタクト１４ａを挿入する場合は、図４に示した状態から第１コンタクト１４ａを上下反転させた状態、すなわち、底面部１８が上側に向くようにして行われる。このとき、接触片３０ａの先端側の引っ掛け部３８ａも、上側に向くようになる（図１０Ａ参照）。
【００７０】
そして、図１０Ｂに示すように第１コンタクト１４ａを第１ハウジング４４の第１後面７６に２段に形成された各第１挿入孔９６のうちの第１上面７８側の上段側第１挿入孔９６ａに挿入させる。このとき、第１コンタクト１４ａの接触片３０ａは、上段側第１挿入孔９６ａに形成された接触片挿入部９７ａに挿入されるようになる。
【００７１】
第１コンタクト１４ａを挿入し続けると、上段側第１コンタクト収容部４６ａ内に形成された上側爪片８２に第１コンタクト１４ａの底面部１８に形成された固定部２０が当接されるようになる。この状態から、さらに第１コンタクト１４ａを押し込むことで、図１０Ｃに示すように、固定部２０により上側爪片８２が押圧され、弾性変形されることで、固定部２０が通過されるようになる。また、固定部２０が通過された後、上側爪片８２は弾性力により下方に戻り、固定部２０が固定されるようになる。
【００７２】
また、このとき、第１コンタクト１４ａの接触片３０ａの先端側の引っ掛け部３８ａは、開口溝５６の先端側５８に形成された引っ掛け溝６０に嵌まり込み、接触片３０ａが開口溝５６内に固定されるようになると共に、第１接触部３６が開口溝５６から露出されるようになる。
【００７３】
以上により、第１コンタクト１４ａが上段側第１コンタクト収容部４６ａに装着され、収容されるようになる。
【００７４】
次に、主に図１１を参照して、下段側第１コンタクト収容部４６ｂへの第１コンタクト１４ｂの挿入及び装着について説明する。
【００７５】
下段側第１コンタクト収容部４６ｂへ第１コンタクト１４ｂを挿入する場合は、図６に示した状態の向き、すなわち、底面部１８が下側に向くようにして行われる。一方、このとき、接触片３０ｂの先端側の引っ掛け部３８ｂは、上側を向くようになっている（図１１Ａ参照）。
【００７６】
そして、図１１Ｂに示すように、第１コンタクト１４ｂを第１ハウジング４４の第１後面７６に２段に形成された第１挿入孔９６のうちの下段側第１挿入孔９６ｂに挿入させる。このとき、第１コンタクト１４ｂの接触片３０ｂは、下段側第１挿入孔９６ｂに形成された接触片挿入部９７ｂに挿入されるようになる。
【００７７】
第１コンタクト１４ｂの挿入を続けると、下段側第１コンタクト収容部４６ｂに形成された下側爪片８８に第１コンタクト１４ｂの底面部１８に形成された固定部２０が当接されるようになる。この状態から、さらに第１コンタクト１４ｂを押し込むことで、図１１Ｃに示すように、固定部２０により下側爪片８８が押圧され、弾性変形されることで、固定部２０が通過されるようになる。また、固定部２０が通過された後、下側爪片８８は弾性力により下方に戻り、固定部２０に固定されるようになる。
【００７８】
また、このとき、第１コンタクト１４ｂの接触片３０ｂの先端側の引っ掛け部３８ｂは、開口溝５６の先端側５８に形成された引っ掛け溝６０に嵌まり込み、接触片３０ｂが開口溝５６に固定されるようになると共に、第１接触部３６が開口溝５６から露出されるようになる。
【００７９】
以上により、第１コンタクト１４ｂが下段側第１コンタクト収容部４６ｂに装着され、収容されるようになり、第１コネクタ部材１２の組み立てが完了する。
【００８０】
このように、第１ハウジング４４の上段側第１コンタクト収容部４６ａと下段側第１コンタクト収容部４６ｂを２段にし、それぞれ互い違いに形成することで、各第１コンタクト１４の第１接触部３６に比べて太いワイヤー４２を互い違いに配置させることができ、また、第１コンタクト１４ａと第１コンタクト１４ｂをそれぞれ上下反転して挿入するようにすることで、各第１接触部３６の間隔をより狭めた狭ピッチで設けることができるようになると共に、コネクタ１０を小型化及び省スペース化することができる。
【００８１】
また、実施形態の各第１コンタクト１４は、第１ハウジング４４に組み付ける際に、接触片３０が衝突したとしても、立設部３２に形成された規制部３４が各側面部２２、２４の端部に当接されることで、接触片３０が胴体部１６側に折れ曲がり、変形してしまうことを抑制でき、また、補助突起４０があることで、軸線方向の衝突以外の方向からの衝突に対しても、接触片３０の変形を抑制することができる。そのため、第１コンタクトの組み付け時の破損等が抑制でき、製造コストを抑えることができ、また、組み付けを容易に行うことができる。
【００８２】
以上で、第１ハウジング４４への各第１コンタクト１４の装着が終了する。なお、第１シェル９８の取り付けは、第１ハウジング４４に各第１コンタクト１４が収容された後に行うようにしてもよい。
【００８３】
次に、図１、図２を参照して、第２コネクタ部材１００について説明する。第２コネクタ部材１００は、一方が基板１４４に接続されたベースコンタクトとしての複数の第２コンタクト１０２と、この第２コンタクト１０２が収容されたベースハウジングとしての第２ハウジング１０８と、第２ハウジング１０８が覆われる第２シェル１３６とで構成されている。以下、各構成について説明する。
【００８４】
第２コンタクト１０２は、一方に第１コネクタ部材１２の各第１コンタクト１４の第１接触部３６と接触される第２接触部１０４を有し、他方に、基板１４４に接続される第２接続部１０６を有する、金属製の板状体で形成されている。また、第２コンタクト１０２は、例えば２か所が略直角に屈曲されたいわゆるクランク状になっている。
【００８５】
第２コンタクト１０２の第２接触部１０４は、嵌合された第１コネクタ部材１２の各第１コンタクト１４の第１接触部３６と接触される際に、第２ハウジング１０８に収容された状態で、各第１コンタクト１４の第１接触部３６側に押圧されるように「く」字状に折り曲げられており、挿入された各第１コンタクト１４に押されることで弾性変形されるように構成されている。そして、弾性変形された第２コンタクト１０２の第２接触部１０４が第１コネクタ部材１２の各第１コンタクト１４を押し返すことで、高い接圧が得られるようになっている。なお、このとき、第２コンタクト１０２の第２接触部１０４と第１コネクタ部材１２の各第１コンタクト１４の第１接触部３６との間でワイピングが行われるようになる。
【００８６】
また、第２ハウジング１０８は、第１コネクタ部材１２が挿入されて嵌合される開口部１１２を有する第２前面１１０と、第２前面１１０の反対側であって、上段側と下段側にそれぞれ上部開口１１８及び下部開口１２０がそれぞれ形成された第２後面１１６と、基板１４４に設置される側の第２底面１３０と、第２底面１３０と反対側の第２上面１２８と、一方の第２側面１３２及び他方の第２側面１３４とを有する略直方体状に構成され、樹脂材料で形成されている。
【００８７】
また、第２ハウジング１０８の内部には、第２後面１１６側の上部開口１１８及び下部開口１２０と連通されるように上下に分割された空間を有しており、上段側は、第２上面１２８側に取り付けられる第２シェル１３６のシェル接触片１３８が屈曲されて配置されるシェル接触片配置部１２２となり、下段側は、第２コンタクト１０２が収容される第２コンタクト収容部１２４となっている。なお、このシェル接触片配置部１２２と第２コンタクト収容部１２４との間には、第２後面１１６側には仕切り板１２６が設けられており、また、第２前面１１０側は開口部１１２と連通されている。このとき、第２コンタクト収容部１２４はそれぞれ仕切り壁により仕切られている。
【００８８】
さらに、第２ハウジング１０８の一方の第２側面１３２側及び他方の第２側面１３４側には、第１ハウジング４４の第１前面５０側に形成された一対の嵌入突起部６２及びロック機構６６が嵌入される嵌入溝部１１４がそれぞれ形成されている。この嵌入溝部１１４には、第１ハウジング４４の嵌入突起部６２の形状に対応するような形状に形成されている。また、嵌入溝部１１４の一方の第２側面１３２側及び他方の第２側面１３４側にはロック機構６６のロック片７０に形成された係止突起７２が係止される係止部１１５がそれぞれ設けられている。なお、この係止部１１５は、第２シェル１３６の第２ハウジング１０８の第２後面１１６側から嵌入溝部１１４に挿入された部分に形成されている。
【００８９】
また、第２上面１２８、第２底面１３０、一方の第２側面１３２及び他方の第２側面１３４は、第２シェル１３６により覆われる面となっている。
【００９０】
第２シェル１３６は、第２ハウジング１０８の第２後面１１６側から嵌め込まれるようにして取り付けられ、電磁波等のノイズを遮蔽したり、また、アース接続がされたりするようになる。
【００９１】
第２ハウジング１０８の第２上面１２８側の第２シェル１３６は、第２上面１２８に配置される面と、この面から第２後面１１６側が略１８０°折り曲げられて形成されたシェル接触片１３８が形成されており、このシェル接触片１３８は、第１コネクタ部材１２の第１シェル９８のシェル接触面９９と接触されるようになる。
【００９２】
さらに、第２ハウジング１０８の一方の第２側面１３２側及び他方の第２側面１３４側の第２シェル１３６には、基板１４４にはんだ付け等で取り付けられるリード部１４２がそれぞれ形成されている。
【００９３】
また、第２底面１３０側の第２シェル１３６には、第２底面１３０側が覆われる面から延設された、基板１４４と接続される複数のシェル接続片１４０がそれぞれ形成されている。なお、第２シェル１３６は、第２ハウジング１０８の第２後面１１６側から嵌入溝部１１４の一方の第２側面１３２側及び他方の第２側面１３４側に挿入される部分が形成されており、この挿入される部分の第２前面１１０側に係止部１１５が形成されている。
【００９４】
そして、第２コネクタ部材１００は、基板１４４の端部側に設置され、はんだ付け等により、第２コンタクト１０２の第２接続部１０６、第２シェル１３６のリード部１４２やシェル接続片１４０がそれぞれ接続されることで基板１４４に取り付けられるようになる。
【００９５】
また、第１コネクタ部材と第２コネクタ部材の接続は、図１、図２に示すように、基板１４４上に設置された第２コネクタ部材１００の第２ハウジング１０８の開口部１１２に第１コネクタ部材１２の第１ハウジング４４の第１前面５０側を先にして挿入して行う。
【００９６】
このとき、第２コネクタ部材１００の第２ハウジング１０８の一方の第２側面１３２側及び他方の第２側面１３４側に形成された嵌入溝部１１４に第１コネクタ部材１２の第１ハウジング４４の一方の第１側面９０側及び他方の第１側面９２側に形成された嵌入突起部６２及びロック機構６６が挿入されるようになる。
【００９７】
嵌入溝部１１４内に嵌入突起部６２及びロック機構６６の挿入を続けると、ロック機構６６のロック片７０に形成された係止突起７２が嵌入溝部１１４内に係止され、第１コネクタ部材１２と第２コネクタ部材１００が接続される。
【００９８】
このとき、第１コネクタ部材１２の各第１コンタクト１４の第１接触部３６と第２コネクタ部材１００の第２コンタクト１０２の第２接触部１０４がそれぞれ接触されるようになる。また、第２コンタクト１０２の第２接触部１０４が弾性変形されることで高い接圧が得られるようになると共に、第１接触部３６と第２接触部１０４がワイピングされるようになる。
【００９９】
さらに、第１コネクタ部材１２の第１ハウジング４４の突出部５２の第１上面７８側に設けられた第１シェル９８のシェル接触面９９と、第２コネクタ部材１００の第２シェル１３６のシェル接触片１３８が接触されるようなる。この接触により、第１コネクタ部材１２と第２コネクタ部材１００がアース接続されると共に、電磁波等のノイズの遮蔽が行われる。
【０１００】
なお、第１コネクタ部材１２の第１ハウジング４４の突出部５２の先端側５８と第２コネクタ部材１００の内部の仕切り板１２６とが当接され、また、第１ハウジング４４の第１前面５０と第２ハウジング１０８の第２前面１１０が当接されるようになる。以上で、第１コネクタ部材１２と第２コネクタ部材１００の嵌合及び接続が完了する。
【０１０１】
なお、実施形態では、第１コネクタ部材１２が基板に対して平行に第２コネクタ部材１００の側面側から挿入されるサイドタイプのコネクタ１０の場合を説明したが、これに限らず、第１コネクタ部材１２を第２コネクタ部材１００の上方、すなわち、基板１４４に対して垂直方向から挿入されるいわゆるトップタイプのコネクタ１０Ａにも適用することができる。
【０１０２】
トップタイプのコネクタ１０Ａは、図１２に示すように、第１コネクタ部材１２が第２コネクタ部材１００Ａの上方から挿入されるように、開口部１１２Ａが基板１４４に取り付けられた側とは反対側の面側に形成されている。そして、第１コネクタ部材１２を基板１４４と垂直方向から第２コネクタ部材１００Ａの開口部１１２Ａに挿入して、接続が行なわれるようになる。なお、第１コネクタ部材１２は実施形態と共通したものを用いることができる。また、第２コネクタ部材１００Ａは、第２コンタクト１０２Ａ、第２ハウジング１０８Ａ及び第２シェル１３６Ａを基板１４４に対して垂直に設置させるために一部の構成が変更されるが、略実施形態と共通した構成となる。
【０１０３】
［変形例］
また、実施形態の第１コンタクト１４は、接触片３０に規制部３４が形成され、胴体部１６の両側面部２２、２４の端部に当接することで、接触片３０の変形を抑制する構成としたが、変形例の第１コンタクト１４Ｃとして、規制部３４Ｃを胴体部１６Ｃに形成した場合を説明する。なお、変形例の第１コンタクト１４Ｃは、実施形態の第１コンタクト１４の形状の一部を変更したのみなので、実施形態の第１コンタクト１４と共通する構成には同一の符号を付し、詳細な説明は省略する。また、変形例の第１コンタクト１４Ｃは、図１３に示すように、実施形態の第１コンタクト１４ｂの構成を一部変形させた場合を代表して説明する。
【０１０４】
変形例の第１コンタクト１４Ｃは、図１３に示すように、接触片３０Ｃの立設部３２Ｃには、実施形態と異なり規制部が形成されておらず、一方、胴体部１６の一方の側面部２２の接触片３０Ｃが形成される側の上端側の辺が一部延設されて、底面部１８と平行となるように屈曲されて規制部３４Ｃが形成されている。
【０１０５】
すなわち、変形例の規制部３４Ｃは一方の側面部２２と他方の側面部２４を繋ぐように設けられることで、接触片３０Ｃが胴体部１６側への移動方向を遮るように配置されるようになっている。
【０１０６】
このような構成とすることでも、変形例の第１コンタクト１４Ｃが第１ハウジング４４に挿入される際に、接触片３０Ｃが第１ハウジング４４等に衝突した場合であっても、立設部３２Ｃが胴体部１６の上面に形成された規制部３４Ｃの端部に当接されることで、接触片３０Ｃの変形を抑制することができる。
【０１０７】
また、変形例の第１コンタクト１４Ｃの両側面部２２、２４の端部には、実施形態と同様に補助突起４０が形成されていることで、他の方向からの外力による変形も抑制することができる。
【０１０８】
なお、変形例の第１コンタクト１４Ｃと同様な規制部３４Ｃを形成した構成は、実施形態の第１コンタクト１４ａについても同様の構成とすることができ、上記のような変形例と同様の効果を奏することができるようになる。
【符号の説明】
【０１０９】
１０、１０Ａ：コネクタ  １２：第１コネクタ部材（ソケットコネクタ）  １４、１４Ｃ：第１コンタクト（コンタクト）  １４ａ：上段側第１コンタクト（上段側コンタクト）  １４ｂ：下段側第１コンタクト（下段側コンタクト）  １６、１６Ｃ：胴体部  １８：底面部  ２０：固定部  ２２：一方の側面部  ２４：他方の側面部  ２６：ワイヤー接続部  ２８：接続片  ３０、３０ａ、３０ｂ、３０Ｃ：接触片  ３２、３２ａ、３２ｂ、３２Ｃ：立設部  ３４、３４Ｃ：規制部  ３６：第１接触部  ３８、３８ａ、３８ｂ：引っ掛け部  ４０：補助突起  ４２：ワイヤー  ４４：第１ハウジング  ４６：コンタクト収容部  ４６ａ：上段側コンタクト収容部  ４６ｂ：下段側コンタクト収容部  ５０：第１前面  ５２：突出部  ５６：開口溝  ６０：引っ掛け溝  ６２：嵌入突起部  ６６：ロック機構  ７０：ロック片  ７２：係止突起  ７４：操作部  ７６：第１後面  ７８：第１上面  ８０：上面開口  ８２：上側爪片  ８４：第１底面  ８６：底面開口  ８８：下側爪片  ９０：一方の第１側面  ９２：他方の第１側面  ９６：第１挿入孔  ９６ａ：上段側第１挿入孔  ９６ｂ：下段側第１挿入孔  ９７、９７ａ、９７ｂ：接触片挿入部  ９８：第１シェル  ９９：シェル接触面  １００、１００Ａ：第２コネクタ部材（ベースコネクタ）  １０２：第２コンタクト  １０４：第２接触部  １０６：接続部  １０８：第２ハウジング  １１０：第２前面  １１２、１１２Ａ：開口部  １１４：嵌入溝部  １１５：係止部  １１６：第２後面  １１８：上部開口  １２０：下部開口  １２２：シェル接触片配置部  １２４：コンタクト収容部  １２８：第２上面  １３０：第２底面  １３２：一方の第２側面  １３４：他方の第２側面  １３６：第２シェル  １３８：シェル接触片  １４０：シェル接続片  １４２：リード部  １４４：基板
【図１】
2018010715.tif 000003
【図２】
2018010715.tif 000004
【図３】
2018010715.tif 000005
【図４】
2018010715.tif 000006
【図５】
2018010715.tif 000007
【図６】
2018010715.tif 000008
【図７】
2018010715.tif 000009
【図８】
2018010715.tif 000010
【図９】
2018010715.tif 000011
【図１０】
2018010715.tif 000012
【図１１】
2018010715.tif 000013
【図１２】
2018010715.tif 000014
【図１３】
2018010715.tif 000015